(57)【要約】      （修正有）【課題】本考案は、セキュリティースロットのない電子機器でもセキュリティーロックを連結することができる盗難防止接続具を提供する。【解決手段】本考案に係る電子機器の盗難防止接続具は、電子機器８０にセキュリティーロック９０を連結するための盗難防止接続具１０であって、先端に開口３１を有する格納部３０を具える筺体部２０と、前記格納部に収容され、前記開口から出没可能なプレート４０であって、前記開口から引き出した状態で先端が外部に臨出する位置にセキュリティーロックが連結可能な取付孔４１を有するプレートと、前記プレートを前記格納部から脱落不能に係合する抜止め部と、を有し、前記筺体部は電子機器の外装ケーシングに貼着される。【選択図】図１２
0003214512.tif 000002
【実用新案登録請求の範囲】
【請求項１】
電子機器にセキュリティーロックを連結するための盗難防止接続具であって、
先端に開口を有する格納部を具える筺体部と、
前記格納部に収容され、前記開口から出没可能なプレートであって、前記開口から引き出した状態で先端が外部に臨出する位置にセキュリティーロックが連結可能な取付孔を有するプレートと、
前記プレートを前記格納部から脱落不能に係合する抜止め部と、
を有し、
前記筺体部は電子機器の外装ケーシングに貼着される、
ことを特徴とする電子機器の盗難防止接続具。
【請求項２】
前記プレートを前記格納部に収納した状態と、前記プレートを前記格納部から引き出した状態で、前記プレートを前記格納部に軟係止する軟係止手段を具える、
請求項1に記載の電子機器の盗難防止接続具。
【請求項３】
前記プレートの先端には、前記プレートを引き出す際に指を掛ける指掛け部を具える、
請求項１又は請求項２に記載の電子機器の盗難防止接続具。
【請求項４】
前記格納部の内面には、基端から先端に向けて前記プレートが摺接する１又は複数の突条が形成されている、
請求項１乃至請求項３の何れかに記載の電子機器の盗難防止接続具。
【考案の詳細な説明】
【技術分野】
【０００１】
本考案は、ノート型パソコン等の電子機器に装着され、セキュリティーワイヤーを連結することのできる電子機器の盗難防止接続具に関するものである。
【背景技術】
【０００２】
ノート型パソコン、タブレット型端末、携帯電話機、スマートフォン等の小型の電子機器を盗難から守るために、一部の機器では、外装ケーシングに所謂セキュリティースロットが設けられている。セキュリティースロットには、セキュリティーロックを介してセキュリティーワイヤーが連結される。セキュリティーワイヤーは、柱や陳列台の脚などに外れないよう取り付けられることで、電子機器の持ち出しや盗難を防ぐようにしている。
【０００３】
たとえば、特許文献１では、電子機器に設けられたセキュリティースロットに装着するセキュリティーロックを提案している。セキュリティーロックは、先端がＴ字状の抜止め片と抜止め片に対してスライド可能な回止め片を具え、抜止め片をセキュリティースロットに挿入し、９０°回転させた状態で回止め片を挿入し、これらが相対的に移動しないようにセキュリティーワイヤーを挿通している。また、セキュリティーロックとセキュリティーワイヤーを一体に形成したロック装置（以下、適宜これらをまとめて「セキュリティーロック」と称する）も知られている。
【先行技術文献】
【特許文献】
【０００４】
【特許文献１】特許３５５９５０１号公報
【考案の概要】
【考案が解決しようとする課題】
【０００５】
セキュリティースロットを具える電子機器に対しては、上記セキュリティーロックを連結することができるが、セキュリティースロットのない電子機器では、セキュリティーロックを使用することができない。
【課題を解決するための手段】
【０００６】
本考案の目的は、セキュリティースロットのない電子機器でもセキュリティーロックを連結することができる盗難防止接続具を提供することである。
【０００７】
本考案に係る電子機器の盗難防止接続具は、
電子機器にセキュリティーロックを連結するための盗難防止接続具であって、
先端に開口を有する格納部を具える筺体部と、
前記格納部に収容され、前記開口から出没可能なプレートであって、前記開口から引き出した状態で先端が外部に臨出する位置にセキュリティーロックが連結可能な取付孔を有するプレートと、
前記プレートを前記格納部から脱落不能に係合する抜止め部と、
を有し、
前記筺体部は電子機器の外装ケーシングに貼着される。
【０００８】
前記プレートを前記格納部に収納した状態と、前記プレートを前記格納部から引き出した状態で、前記プレートを前記格納部に軟係止する軟係止手段を具えることができる。
【０００９】
前記プレートの先端には、前記プレートを引き出す際に指を掛ける指掛け部を具えることができる。
【００１０】
前記格納部の内面には、基端から先端に向けて前記プレートが摺接する１又は複数の突条を形成することができる。
【考案の効果】
【００１１】
本考案に係る電子機器の盗難防止接続具は、筐体部を電子機器に貼着して使用される。そして、プレートを格納部から引き出し、プレートに形成された取付孔にセキュリティーロックを連結することができる。一方、セキュリティーロックを連結しない場合には、プレートを格納部に収納でき、プレートが邪魔になることはない。
【図面の簡単な説明】
【００１２】
【図１】図１は、本考案の一実施形態に係る盗難防止接続具のプレート引出し状態を示す斜視図である。
【図２】図２は、盗難防止接続具のプレート収納状態を示す斜視図である。
【図３】図３は、盗難防止接続具の正面図である。
【図４】図４は、盗難防止接続具の背面図である。
【図５】図５は、盗難防止接続具の側面図である。
【図６】図６は、盗難防止接続具の平面図である。
【図７】図７は、盗難防止接続具の分解図である。
【図８】図８は、筺体部の上筺体を内面側から見た斜視図である。
【図９】図９は、格納部を斜め上方から見た斜視図である。
【図１０】図１０は、格納部を斜め下方から見た斜視図である。
【図１１】図１１は、盗難防止接続具を電子機器に装着した状態を示す斜視図であって、プレート収納状態を示している。
【図１２】図１２は、盗難防止接続具にセキュリティーロックを装着した状態を示す斜視図である。
【図１３】図１３は、取付部に直接セキュリティーワイヤーを挿通できる盗難防止接続具の斜視図である。
【考案を実施するための形態】
【００１３】
以下、図面を参照しながら、本考案に係る盗難防止接続具１０について説明を行なう。
【００１４】
図１及び図２は、本考案の盗難防止接続具１０を斜め前方から見た斜視図であって、図１は、プレート４０を引き出した状態、図２は、プレートを格納部３０に収容した状態を示している。また、図３乃至図６は、盗難防止接続具１０の正面図、背面図、右側面図及び平面図であり、図７は、分解斜視図である。
【００１５】
本考案の盗難防止接続具１０は、図に示すように、扁平であって一端が開口した筺体部２０と、筺体部２０の内側に形成される格納部３０、格納部３０から出没可能なプレート４０を主要構成として構成することができる。これらは一部又は全部を金属又は樹脂から形成することができ、盗難防止接続具１０の目的を達成するために、強度、剛性等にすぐれる材料から構成することが望ましい。
【００１６】
盗難防止接続具１０は、後述する図１１及び図１２に示すように、ノート型パソコン、ＰＤＡ、スマートフォン等の如き電子機器８０の外装ケーシング８１に背面側を両面テープや接着剤などによって貼着し、セキュリティーロック９０を装着することで使用される。
【００１７】
分解斜視図７に最もよく示されるように、筺体部２０は、断面コ字状の上筺体２２と上筺体２２の背面側を塞ぐ下筺体２７から構成することができ、上筺体２２と下筺体２７によって先端が開口したケーシングを形成する。上筺体２２は、プレート４０の収納状態において、プレート４０の指掛け部４３を臨出させる凹み２３が形成されている。また、上筺体２２の内側には、図８に示すように、長手方向の側面に爪片２４が形成されており、図７に示す格納部３０の受部３５が嵌まって、格納部３０を上筺体２２に固定するようにしている。また、図８に示すように、上筺体２２の内面には、抜止めピン５１，５１が当たらないように凹み２５が形成されている。
【００１８】
下筺体２７は、図示の実施形態では、上面側と背面側に貼着面を有する両面テープであり、上面側が格納部３０の背面に貼着される。下筺体２７の背面側の貼着面は、電子機器８０の外装ケーシング８１に取り付けられる。なお、下筺体２７は、上筺体２２と係合する板体とすることもできるし、上筺体２２と下筺体２７を一体に形成して筺体部２０を構成することもできる。下筺体２７には、抜止めピン５１が挿通可能な挿通孔２８が形成されている。下筺体２７を板体又は上筺体２２と一体に構成する場合、下筺体２７の背面には、電子機器８０に貼着、接着等するための両面テープや接着剤を配置する。
【００１９】
格納部３０は、筺体部２０の内部に配備され、先端に開口３１が形成されている。図７に示すように、格納部３０の上面には、上記した筺体部２０の凹み２３と対応する位置に凹み３３が形成されている。また、格納部３０には、抜止め部５０となる抜止めピン５１，５１が挿通する穴３４，３４が上面と背面に貫通開設されている。また、格納部３０の側面には、上筺体２２の爪片２４に嵌まる受部３５が凹設されている。
【００２０】
格納部３０の内面には、図９に示すように、下面側に２列の下突条３７、３７が形成されており、上面側には、図１０に示すように上突条３８が形成されている。突条３７，３７，３８は、プレート４０と格納部３０の内面との接触面積を小さくし、プレート４０をスムーズに摺動させる役割をなす。また、上突条３８には、突起３９が形成されており、プレート４０に形成された位置決孔４６又は４７が嵌まって軟係止手段６０を構成する。突起３９は、テーパー形状とすることが望ましい。
【００２１】
プレート４０は、格納部３０に収容され、開口３１から出没可能な板体を例示できる。プレート４０には、先端側にセキュリティーロック９０が装着可能な取付孔４１が開設されると共に、プレート４０を格納した状態で格納部３０の凹み２３から臨出する位置にユーザーが指（又は爪）を掛ける指掛け部４３が凹設されている。取付孔４１は、セキュリティーロック９０が嵌まり、所定の係合状態を維持できる大きさ、形状とすることができ、図示の取付孔４１は略矩形である。本実施形態では、プレート４０の薄型化を図ると共に、セキュリティーロック９０を取り付けたときに、セキュリティーロック９０の抜止めや回止めがぐらつかない長さを確保するために、取付孔４１の孔縁は、プレート４０からやや突出して形成している。この場合、図７に示すように、格納部３０の凹み３３は孔縁を避ける略矩形形状とすることが好適である。
【００２２】
プレート４０には、図７に示すように、抜止め部５０を構成する抜止めピン５１，５１が挿通する長孔４４，４４が長手方向に形成されている。長孔４４，４４は、抜止めピン５１，５１が余裕を持ってスライドできる幅としている。また、長孔４４，４４間には、プレート４０の先端側と基端側に上記した格納部３０の突起３９が嵌まる位置決孔４６，４７が形成されおり、突起３９と共に軟係止手段６０を構成している。基端側の位置決孔４６は、プレート４０を格納部３０から引き出した状態（たとえば図１）で突起３９に嵌まる位置に設けられており、先端側の位置決孔４７は、プレート４０を格納部３０に収納した状態（たとえば図２）で突起３９に嵌まる位置に設けられている。位置決孔４６，４７が突起３９に嵌まった状態では、プレート４０は格納部３０から自由な出没が阻止される。
【００２３】
そして、プレート４０を格納部３０に差し込み、抜止めピン５１，５１を格納部３０の背面側から穴３４，３４からプレート４０の長孔４４，４４を貫通するよう挿入する。抜止めピン５１，５１は、たとえばグロメット（ハトメ）を採用することができ、格納部３０の上面側の孔３４，３４を挿通させた後、先端を押し広げることで、抜止め部５０を形成することができる。プレート４０を格納部３０に装着した後、格納部３０の上側から上筺体２２を被せて、爪片２４を受部３５に係合させ、さらに、下筺体２７である両面テープを格納部３０の背面に貼着することにより、盗難防止接続具１０が作製される。
【００２４】
作製された盗難防止接続具１０は、図１１及び図１２に示すように電子機器８０の外装ケーシング８１に装着して使用することができる。
【００２５】
盗難防止接続具１０を使用しない場合は、図１１に示すようにプレート４０を格納部３０に格納しておく。このとき、プレート４０の先端側位置決孔４７（図７参照）が格納部３０の突起３９に嵌まり、プレート４０が飛び出すことを防止できる。
【００２６】
盗難防止接続具１０を使用する場合には、図１２に示すようにプレート４０を格納部３０から引き出す。プレート４０は格納状態において先端側位置決孔４７が突起３９に嵌まっているが、突起３９がテーパー形状であるから、指掛け部４３に指（又は爪）を掛けてプレート４０を引き出すことにより、先端側位置決孔４７と突起３９の係合による軟係止が解け、プレート４０が格納部３０から引き出される。格納部３０に突条３７，３８を設けておくことで、プレート４０と格納部３０の接触抵抗を小さくして、スムーズにプレート４０を引き出すことができる。プレート４０を引き出して、基端側位置決孔４６が突起３９に嵌まると、プレート４０の後退は防止される。そして、この状態で臨出した取付孔４１にセキュリティーロック９０を装着することで、電子機器８０の盗難を防止することができる。なお、図示のセキュリティーロック９０は説明のためだけのものであり、ダイヤル式であるが、他の種々のセキュリティーロックを採用できる。
【００２７】
電子機器８０を正当なユーザーが移動等させるために、セキュリティーロック９０を取り外した後は、盗難防止接続具１０を使用しないため、プレート４０を格納部３０に押し込めばよい。これにより、基端側位置決孔４６と突起３９の係合による軟係止が解け、プレート４０を図１１に示すように再度収納することができる。
【００２８】
上記のように、本発明の盗難防止接続具１０によれば、セキュリティースロットの形成されていない電子機器８０であっても、外装ケーシング８１に盗難防止接続具１０を取り付けるだけで、セキュリティーロック９０を装着することができ、電子機器８０の盗難防止を容易に行なうことができる。
【００２９】
盗難防止接続具１０は、薄型に構成できるため、電子機器８０に取り付けても電子機器８０の使用に不都合はない。また、セキュリティーロック９０を使用する場合のみプレート４０を引き出し、使用しない場合には格納部３０にプレート４０を収納すればよいから、使用しない状態でプレート４０が飛び出して邪魔になることもない。
【００３０】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【００３１】
筺体部２０、格納部３０、プレート４０等の形状、大きさ等は図示の実施形態に限定されるものではなく、また、電子機器８０も上記に挙げたものに限定されるものではないことは理解されるべきである。
【００３２】
たとえば、筺体部２０と格納部３０は、上記実施形態では別個の部材で構成しているが、これらを一体に構成することもできる。また、上記実施形態では、軟係止手段６０を構成する突起３９にテーパーを設けているが、位置決孔４６，４７にテーパーを設けても構わない。
【００３３】
また、図１３に示すように、プレート４０には、セキュリティーロック用の取付孔に代えて、口径の大きい取付孔４１を形成することで、直接セキュリティーワイヤーを挿通することができる。
【符号の説明】
【００３４】
１０  盗難防止用接続具
２０  筺体部
３０  格納部
４０  プレート
４１  取付孔
８０  電子機器
９０  セキュリティーロック
【図１】
0003214512.tif 000003
【図２】
0003214512.tif 000004
【図３】
0003214512.tif 000005
【図４】
0003214512.tif 000006
【図５】
0003214512.tif 000007
【図６】
0003214512.tif 000008
【図７】
0003214512.tif 000009
【図８】
0003214512.tif 000010
【図９】
0003214512.tif 000011
【図１０】
0003214512.tif 000012
【図１１】
0003214512.tif 000013
【図１２】
0003214512.tif 000014
【図１３】
0003214512.tif 000015